(57)【要約】【課題】  内外周差の記録特性が異なるメディアに対する記録条件をリアルタイムで補正することにより、記録品位のマージンを向上させる。【解決手段】  再生用サブビームから得られたＲＦ信号のうち、記録パルスの定出力領域に対応する部分をゲート信号で抽出し、その結果得られたＲＦ−Ｓｕｂ’信号の平均値Ｖａｖを求めることによりＣ的な基準位置を設定するとともに、この平均値Ｖａｖとピーク値Ｖｐ１およびＶｐ２との差分を求めることで、記録パルスのＯＮ／ＯＦＦの影響を受けた断続的なＲＦ信号からリアルタイムでβ値を得る。【選択図】  図３３
2006228379.tif 000002
【特許請求の範囲】
【請求項１】
高出力領域および低出力領域の少なくとも２つの出力領域を有する記録パルスに基づく記録用レーザ光の照射により光記録メディアにピットおよびスペースを形成すると同時に、再生用レーザ光の照射により前記ピットおよびスペースの検出を行う光情報記録装置において、
前記再生用レーザ光によって得られた再生信号のうち、前記記録用レーザ光の高出力領域内で得られた部分を抽出する手段と、
前記抽出した再生信号の平均値を検出する手段と、
前記抽出した再生信号のピーク値を検出する手段と、
前記平均値と前記ピーク値とを利用して前記記録用レーザ光のパワーを調整する手段と
を具備することを特徴とする光情報記録装置。
【請求項２】
前記ピーク値は、抽出した再生信号の最大値と最小値として検出され、
前記平均値と前記最大値および最小値との差分をそれぞれ求める手段と、
前記各差分を用いてβ相当値を算出する手段とをさらに具備し、
前記パワー調整は、前記β相当値に基づいて行われることを特徴とする請求項１記載の光情報記録装置。
【請求項３】
前記高出力領域は、前記記録パルスのレベルが一定となる定出力領域を有し、
前記再生信号の抽出は、前記記録用レーザ光が前記定出力領域で照射されている期間内に行われることを特徴とする請求項１記載の光情報記録装置。
【請求項４】
複数種類の各符号に対応させて高出力領域および低出力領域の少なくとも２つの出力領域を有する記録パルスを設定し、該記録パルスに基づく記録用レーザ光の照射により光記録メディアにピットおよびスペースを形成すると同時に、再生用レーザ光の照射により前記ピットおよびスペースの検出を行う光情報記録装置において、
前記再生用レーザ光によって得られた再生信号のうち、前記記録用レーザ光の高出力領域内で得られた部分を抽出する手段と、
前記抽出した再生信号の平均値を検出する手段と、
前記平均値に基づいて前記符号の種類を判定する手段と
を具備することを特徴とする光情報記録装置。
【請求項５】
複数種類の各符号に対応させて高出力領域および低出力領域の少なくとも２つの出力領域を有する記録パルスを設定し、該記録パルスに基づく記録用レーザ光の照射により光記録メディアにピットおよびスペースを形成すると同時に、再生用レーザ光の照射により前記ピットおよびスペースの検出を行う光情報記録装置において、
前記再生用レーザ光によって得られた再生信号のうち、前記記録用レーザ光の高出力領域内で得られた部分を抽出する手段と、
前記抽出した再生信号の平均値を検出する手段と、
前記平均値に基づいて前記形成されたピットおよび／またはスペースのずれ量を検出する手段と
を具備することを特徴とする光情報記録装置。
【請求項６】
高出力領域および低出力領域の少なくとも２つの出力領域を有する記録パルスに基づく記録用レーザ光の照射により光記録メディアにピットおよびスペースを形成すると同時に、再生用レーザ光の照射により前記ピットおよびスペースの検出を行う光情報記録方法において、
前記再生用レーザ光によって得られた再生信号のうち、前記記録用レーザ光の高出力領域内で得られた部分を抽出し、該抽出した再生信号の平均値およびピーク値を検出し、該検出した平均値およびピーク値を利用して前記記録用レーザ光のパワーを調整することを特徴とする光情報記録方法。
【請求項７】
複数種類の各符号に対応させて高出力領域および低出力領域の少なくとも２つの出力領域を有する記録パルスを設定し、該記録パルスに基づく記録用レーザ光の照射により光記録メディアにピットおよびスペースを形成すると同時に、再生用レーザ光の照射により前記ピットおよびスペースの検出を行う光情報記録方法において、
前記再生用レーザ光によって得られた再生信号のうち、前記記録用レーザ光の高出力領域内で得られた部分を抽出し、該抽出した再生信号の平均値、トップ値およびボトム値を検出し、該検出した平均値、トップ値およびボトム値に基づいて前記符号の種類を判定することを特徴とする光情報記録方法。
【請求項８】
複数種類の各符号に対応させて高出力領域および低出力領域の少なくとも２つの出力領域を有する記録パルスを設定し、該記録パルスに基づく記録用レーザ光の照射により光記録メディアにピットおよびスペースを形成すると同時に、再生用レーザ光の照射により前記ピットおよびスペースの検出を行う光情報記録方法において、
前記再生用レーザ光によって得られた再生信号のうち、前記記録用レーザ光の高出力領域内で得られた部分を抽出し、該抽出した再生信号の平均値を検出し、該検出した平均値に基づいて前記形成されたピットおよび／またはスペースのずれ量を検出することを特徴とする光情報記録方法。
【請求項９】
高出力領域および低出力領域の少なくとも２つの出力領域を有する記録パルスに基づく記録用レーザ光の照射により光記録メディアにピットおよびスペースを形成すると同時に、再生用レーザ光の照射により前記ピットおよびスペースの検出を行う光情報記録装置に組み込まれる信号処理回路おいて、
前記再生用レーザ光によって得られた再生信号のうち、前記記録用レーザ光の高出力領域内で得られた部分を抽出する手段と、
前記抽出した再生信号の平均値を検出する手段と、
前記抽出した再生信号のピーク値を検出する手段と、
前記平均値と前記ピーク値とを利用して前記記録用レーザ光のパワーを調整する手段と
を具備することを特徴とする信号処理回路。
【請求項１０】
複数種類の各符号に対応させて高出力領域および低出力領域の少なくとも２つの出力領域を有する記録パルスを設定し、該記録パルスに基づく記録用レーザ光の照射により光記録メディアにピットおよびスペースを形成すると同時に、再生用レーザ光の照射により前記ピットおよびスペースの検出を行う光情報記録装置に組み込まれる信号処理回路おいて、
前記再生用レーザ光によって得られた再生信号のうち、前記記録用レーザ光の高出力領域内で得られた部分を抽出する手段と、
前記抽出した再生信号の平均値を検出する手段と、
前記平均値に基づいて前記符号の種類を判定する手段と
を具備することを特徴とする信号処理回路。
【請求項１１】
複数種類の各符号に対応させて高出力領域および低出力領域の少なくとも２つの出力領域を有する記録パルスを設定し、該記録パルスに基づく記録用レーザ光の照射により光記録メディアにピットおよびスペースを形成すると同時に、再生用レーザ光の照射により前記ピットおよびスペースの検出を行う光情報記録装置に組み込まれる信号処理回路おいて、
前記再生用レーザ光によって得られた再生信号のうち、前記記録用レーザ光の高出力領域内で得られた部分を抽出する手段と、
前記抽出した再生信号の平均値を検出する手段と、
前記平均値に基づいて前記形成されたピットおよび／またはスペースのずれ量を検出する手段と
を具備することを特徴とする信号処理回路。
【請求項１２】
高出力領域および低出力領域の少なくとも２つの出力領域を有する記録パルスに基づく記録用レーザ光の照射により光記録メディアにピットおよびスペースを形成すると同時に、再生用レーザ光の照射により前記ピットおよびスペースの検出を行う光情報記録装置において、
前記記録用レーザ光を用いてβ値を検出する手段と、
前記再生用レーザ光によって得られた再生信号のうち、前記記録用レーザ光の高出力領域内で得られた部分を抽出する手段と、
前記抽出した再生信号の平均値を検出する手段と、
前記抽出した再生信号のピーク値を検出する手段と、
前記平均値と前記ピーク値とを利用してβ相当値を検出する手段と、
前記β値と前記β相当値との差分を検出する手段と、
前記検出した差分を利用して前記β相当値を補正する手段と
を具備することを特徴とする光情報記録装置。
【請求項１３】
高出力領域および低出力領域の少なくとも２つの出力領域を有する記録パルスに基づく記録用レーザ光の照射により光記録メディアにピットおよびスペースを形成すると同時に、再生用レーザ光の照射により前記ピットおよびスペースの検出を行う光情報記録方法において、
前記記録用レーザ光を用いてβ値を検出するステップと、
前記再生用レーザ光によって得られた再生信号のうち、前記記録用レーザ光の高出力領域内で得られた部分を抽出するステップと、
前記抽出した再生信号の平均値を検出するステップと、
前記抽出した再生信号のピーク値を検出するステップと、
前記平均値と前記ピーク値とを利用してβ相当値を検出するステップと、
前記β値と前記β相当値との差分を検出するステップと、
前記検出した差分を利用して前記β相当値を補正するステップと
を具備することを特徴とする光情報記録方法。
【請求項１４】
高出力領域および低出力領域の少なくとも２つの出力領域を有する記録パルスに基づく記録用レーザ光の照射により光記録メディアにピットおよびスペースを形成すると同時に、再生用レーザ光の照射により前記ピットおよびスペースの検出を行う光情報記録装置に組み込まれる信号処理回路おいて、
前記記録用レーザ光を用いてβ値を検出する手段と、
前記再生用レーザ光によって得られた再生信号のうち、前記記録用レーザ光の高出力領域内で得られた部分を抽出する手段と、
前記抽出した再生信号の平均値を検出する手段と、
前記抽出した再生信号のピーク値を検出する手段と、
前記平均値と前記ピーク値とを利用してβ相当値を検出する手段と、
前記β値と前記β相当値との差分を検出する手段と、
前記検出した差分を利用して前記β相当値を補正する手段と
を具備することを特徴とする信号処理回路。
【発明の詳細な説明】
【技術分野】
【０００１】
この発明は、光情報記録装置および方法および信号処理回路に関し、特に、内外周差の記録特性が異なるメディアに対する記録条件の最適化に有効な光情報記録装置および方法および信号処理回路に関する。
【背景技術】
【０００２】
ＣＤ−ＲやＤＶＤ−Ｒ等に代表される光情報記録媒体（以下、「メディア」という）の記録においては、記録対象となるメディアと記録に使用する記録装置（以下、「ドライブ」という）との相性が個々の組み合わせにより異なる。この原因としては、メディアを構成する記録材料の種類の違いや製造時の成膜バラツキにより最適な記録条件が変化するといったメディア側の要因と、ドライブを構成するピックアップや半導体レーザの種類の違いや製造時の組立バラツキにより最適な条件が変化するといったドライブ側の要因が考えられ、実際はこれらの複合要因として各組み合わせに適した記録条件が存在する。
【０００３】
そこで、従来は、メディア側に当該メディアの種類がドライブ側から識別可能なＩＤ情報を格納しておくとともに、ドライブ側にはメディアの種類ごとに予め用意された記録条件を格納しておき、実際の記録を行う場合には、ドライブに装填されたメディアから当該メディアのＩＤ情報を読み込み、当該ＩＤ情報と関連づけられた記録条件（「ライトストラテジ」と称する）を使用するといった手法が使用されている。
【０００４】
しかし、この従来の手法では、予め検証された既知のメディアに対しては、ある程度適正のある記録条件が選択できるが、検証されていない未知のメディアに対しては、用意された記録条件では、対応しきれない場合もあり、また、既知のメディアであっても記録環境の変化、例えば、記録速度、外乱、経時変化によっては、用意された記録条件では対応できない場合があった。
【０００５】
このような未知メディアへの対応を図った手法としては、下記文献に記載された手法が知られている。
【特許文献１】特開２００３−３０８３７号公報
【特許文献２】特開２００４−１１０９９５号公報  上記特許文献１の段落００２０には、「・・・記録パターン毎に、チャネルクロックとの位相誤差を検出する。記録補償パラメータ調整部１２は、位相誤差検出部１１における検出結果に基づいて、発光波形規則を最適化する。・・・」との記載があり、チャネルクロックとの比較により位相誤差を検出し補正する手法が開示されている。
【０００６】
また、同文献の段落００２４には、「次に、発光波形規則を決定するためのテストパターンを記録する。そして、そのテストパターンを記録した領域を再生して、予め用意した発光波形規則と位相誤差量との関係を調べる。即ち、各種マークの長さとそのマークの直前の各種スペースの長さとのそれぞれの組み合わせにおける位相誤差量を測定する。測定した位相誤差量から、位相誤差量が零となる発光波形規則を予測して、所望の発光波形規則を決定する。・・・」との記載があり、マークとスペースの組み合わせごとに位相誤差量を測定し、位相誤差量が零となる発光波形規則を予測する手法が開示されている（図８および図１２参照）。
【０００７】
この特許文献１に記載された手法によれば、記録パターンの位相誤差に基づく補正が行われるため、ストラテジの最適化に有効な手法である。
【０００８】
しかし、上記特許文献１の手法では、従来と同じく、予めドライブに記憶されたストラテジの微調整を行っていることになるため、予め記憶されたストラテジに適合しないメディアに対しては、良好な記録品位を満足させることが困難であった。
【０００９】
また、上記特許文献２の段落００４５には、「・・・３Ｔ期間に相当するトップパルスと８Ｔ期間に相当するノンマルチパルスが一体的（連続的）に生成される・・・」との記載があり、さらに、同文献の段落００４６には、「・・・ライトパルスは２段階でレーザパワーが調整されるが、レーザパワー（トップパルスの波高値）Ｐｈとレーザパワー（ノンマルチパルスの波高値）Ｐｍとの比が最適である場合に、最適パワーが得られる・・・」との記載があり、Ｐｈ／Ｐｍの比率を最適化することの有用性が示唆されている。
【００１０】
しかし、上記特許文献２の手法では、同文献の段落００６７に記載されたように、ドライブまたはメディアに記憶された値に基づいて、ＰｈとＰｍの初期値を仮設定し、その後、Ｐｈ／Ｐｍ比率を求めているため、特許文献１の場合と同様に、仮設定の値に適合しないメディアに対しては、良好な記録品位を満足させることが困難である。
【００１１】
また、光ディスク等の光情報録媒体への情報記録は、記録データをＥＦＭ(Eight to Fourteen Modulation)方式や８−１６変調方式等で変調し、この変調信号に基づき記録パルスを形成し、この記録パルスに基づいてレーザ光の強度や照射タイミングを制御し、光ディスク上に記録ピットを形成することにより行われる。
【００１２】
ここで、記録ピットの形成は、レーザ光の照射により生ずる熱を利用して行われるため、記録パルスは、蓄熱効果や熱干渉等を考慮した設定が要求される。そこで、従来から、記録パルスを構成する各種パラメータの設定を光ディスクの種類ごとにストラテジという形で複数定義し、これらストラテジのうち当該記録環境に最適なものを選択して、光ディスクに対する記録を行っていた。
【００１３】
このストラテジは、例えば、ピックアップのスポット径ばらつき、機構精度ばらつき等の光情報記録装置の個体差に依存するだけでなく、記録再生に使用する光ディスクのメーカ種別および記録スピードにも依存するため、最適ストラテジを設定することが記録品位の向上になる。
【００１４】
このため、各メーカ種別に対応する光ディスクの最適ストラテジを求めて、これを各メーカ種別に対応して予めメモリに記憶し、光ディスクに対する情報の記録に際しては、光ディスクに記録されている光ディスクのメーカ種別を読み取り、この読み取ったメーカ種別に対応する最適ストラテジを上記メモリから読み出して使用する手法が提案されている。
【００１５】
しかし、上記手法によると、メモリに予め記憶されたメーカ種別の光ディスクに対しては最適記録が可能になるが、メモリに記憶されていないメーカ種別の光ディスクに対しては最適記録を行うことができず、また、メモリに予め記憶されたメーカ種別の光ディスクであっても記録スピードが異なると、この場合も最適記録を行うことができない。
【００１６】
そこで、下記の特許文献１乃至４に示されるように、記録条件毎に予めテスト記録を行い、このテスト記録に基づき最適ストラテジを決定することで各種光ディスクに対応できるようにした手法も多数提案されている。
【特許文献３】特開平５−１４４００１号公報
【特許文献４】特開平４−１３７２２４号公報
【特許文献５】特開平５−１４３９９９号公報
【特許文献６】特開平７−２３５０５６号公報  しかし、上記特許文献３乃至６に示された手法では、情報記録を開始する前にテスト記録を行う必要があるため、記録と同時にストラテジを補正することができず、内外周の最適条件が異なる場合への対応が困難である。
【００１７】
この課題、即ち、光ディスクは内周部から外周部にかけて若干記録特性が異なり、記録装置側でも内周部と外周部で記録速度が異なる場合があるため、記録品位に内外差が生じるという課題を解決する手法として、内外差をレーザ出力の調整によって緩和する技術が下記の特許文献に示されている。
【特許文献７】特開昭５３−０５０７０７号公報  この特許文献７には、補助ビームの光量変化を検出することによって自動的にレーザ出力の最適化を行う手法が開示されており、この種の手法はＯＰＣと称される。
【００１８】
上記のようなＯＰＣは、リアルタイムでパワーを調整するランニングＯＰＣと称される手法であり、アシンメトリ値等の統計的な指標で補正条件を求めることができるため、記録しながら補正を行うリアルタイム補正も可能であるが、パルス幅やパルスの位相条件を補正する場合は、記録パルスと光ディスク上に形成されたピットとのずれ量を検出する必要があるため、従来のＯＰＣでは対応が困難である。
【００１９】
よって、パルス条件のリアルタイム補正を行うためには、記録と同時にピットおよびスペースの位置や長さを検出する技術が必要になる。これに対する一つのアプローチとして、記録場所とほぼ同一場所を再生する技術が下記の特許文献６に開示されている。
【特許文献８】特開昭５１−１０９８５１号公報  しかし、この手法は、光磁気記録には適用可能であるが、磁気を用いない光記録に対しては適用が困難である。即ち、光磁気記録では、磁気の変調によって情報の記録が行われるため、レーザの出力は無変調になるが、光記録では、レーザの出力変調によって情報の記録が行われるため、この変調の影響が再生側に及ぶという課題が生じる。
【００２０】
この課題を解決する手法としては、下記文献に示された手法が知られている。
【特許文献９】特開平１−２８７８２５号公報
【特許文献１０】特開平７−１２９９５６号公報
【特許文献１１】特開２００４−２２０４４号公報
【特許文献１２】特開平９−１４７３６１号公報  特許文献９は、未記録エリア及び記録エリアに別個のビームを照射し、得られた別々の信号同士で除算することによって再生信号を取り出す技術であり、この手法によれば、情報の記録時にレーザの光強度変調による再生信号波形の崩れを補正することができる。
【００２１】
また、特許文献１０は、変調を受けた出力をＡＧＣ（Ａｕｔｏ  Ｇａｉｎ  Ｃｏｎｔｒｏｌ）によって適宜増幅されたレーザ出力と逆相クロックで相殺することによって再生信号を得る技術である。
【００２２】
また、特許文献１１は、記録パルスの波形変動に伴う再生信号の歪みを、当該記録パルスの波形変動に相当する信号を遅延反転等価回路により作成し相殺することによってキャンセルする技術である。
【００２３】
これら特許文献９乃至１１に示された手法は、いずれも演算によって変調成分をキャンセルする技術であり、理論上は相殺可能と考えられるが、相殺の精度や演算速度の点で実用化には各種の課題が残る。
【００２４】
また、特許文献１２は、記録に用いられるパルスを遅延した遅延パルス、及び被変調信号を反転したゲート信号を用い、再生パルスと共に位相比較器に入れることによって、記録状態のずれをリアルタイムに検出する技術である。
【００２５】
しかし、この特許文献１２に開示された手法では、記録パルスがＯＦＦの時にピットの再生を行っているため、サブビームの出力が低い場合には、十分な品位の再生信号を得ることが困難である。特に、再生用のサブビームを記録用のメインビームから分岐して生成する構成においては、分岐比率が２０：１や３０：１になると、サブビームに十分な出力を割り当てることが困難となる。
【００２６】
即ち、特許文献１２の分岐比率は８：１であるが、記録速度の高速化に伴ってこの分岐比が大きくなる傾向にあり、また、記録パルスのＯＦＦ時のビーム出力は、通常１ｍＷ以下であるため、記録パルスＯＦＦ時に検出できる記録面反射光の強度は非常に小さくなってしまう。検出できる光の強度が弱くなると、回路ノイズ、メディアノイズ等の影響を受けやすくなるため、結果として良好な検出信号が得られなくなる。
【００２７】
一方で、光ディスク上に記録されたピットおよびスペースの長さを検出する方法としては、再生ＲＦ信号の積分値を利用する積分検出方式と、ＲＦ信号の１回微分値を利用する振幅検出方式と、ＲＦ信号の２回微分値を利用するピーク検出方式が知られている。
【００２８】
しかし、比較的波長の短いレーザ光を用いて再生動作を行う光記録装置においては、低密度記録された光メディアではスポットとピットの干渉が起きないため、ＲＦ信号の積分検出方式で長さ情報を検出することは困難である。
【００２９】
また、ＲＦ信号の１回微分値を利用する手法では、記録速度の変化に伴って記録パワーが変化すると、同じスライスレベルで２値化した信号は、同じ長さのピットおよびスペースを検出した結果であるにも拘わらず異なる長さとして検出される。この課題を解決するために、記録速度に応じてスライスレベルを変化させる手段も考えられるが記録速度ごとに適切なスライスレベルを設定することは困難である。
【００３０】
また、ＲＦ信号の２回微分値を利用するピーク検出方式としては、例えば下記特許文献に示された手法が知られている。
【特許文献１３】国際公開ＷＯ９６／２４１３０号公報  この特許文献１３に記載された手法は、光メディアの回転方向に対して光学的に垂直な分割線により区画された２つの領域を有する光ディテクタの差信号、いわゆるタンジェンシャルプッシュプル信号を微分することによって、ＲＦ信号を２回微分した値と等価の信号を生成し、この信号を利用することによってピットのエッジ位置の検出を可能としている。
【００３１】
しかし、この特許文献１３に記載された手法で、光密度型の光メディア、例えばＤＶＤクラスのメディアに記録されたピットおよびスペースの検出を行うと、干渉が生じ易い３Ｔや４Ｔといった短いピットおよびスペースのタンジェンシャルプッシュプル信号の微分値に誤差が生じ、本来のピットおよびスペース長とは異なる値が検出される。
【００３２】
一方で、前述のランニングＯＰＣを改良させた手法が下記の特許文献１４に開示されている。
【特許文献１４】特開２００２−１１７５４４号公報  この特許文献１４には、特定のピット・ランドパターンを用いて最適パワーを検出する手法が開示されているが、同文献に開示されたピット・ランドパターンでは、パワーとパルス幅の調整要素の切り分けができないため、記録品位の十分なマージンが確保できず、高速記録への対応が困難である。
【発明の開示】
【発明が解決しようとする課題】
【００３３】
そこで、本発明は、内外周差の記録特性が異なるメディアに対する記録条件の最適化手法を提供する。
【課題を解決するための手段】
【００３４】
上記目的を達成するため、請求項１記載の発明は、高出力領域および低出力領域の少なくとも２つの出力領域を有する記録パルスに基づく記録用レーザ光の照射により光記録メディアにピットおよびスペースを形成すると同時に、再生用レーザ光の照射により前記ピットおよびスペースの検出を行う光情報記録装置において、前記再生用レーザ光によって得られた再生信号のうち、前記記録用レーザ光の高出力領域内で得られた部分を抽出する手段と、前記抽出した再生信号の平均値を検出する手段と、前記抽出した再生信号のピーク値を検出する手段と、前記平均値と前記ピーク値とを利用して前記記録用レーザ光のパワーを調整する手段とを具備することを特徴とする。
【００３５】
このように、再生信号の平均値を利用することで、記録パルスの断続的なＯＮ／ＯＦＦ信号が重畳された再生信号であっても、ＤＣ的な基準レベルを設定することができるため、記録と同時にリアルタイム検出された再生信号からβ値やアシンメトリ等の指標を得ることができる。尚、再生信号としては、ＲＦ信号でもタンジェンシャルプッシュプル信号でもタンジェンシャルプッシュプル信号の微分信号であっても良い。尚、前記再生信号のピーク値は、抽出した再生信号の最大値と最小値を含むものとする。
【００３６】
ここで、高出力領域とは、記録パルスがＯＮ状態となる領域を意味し、低出力領域とは、記録パルスがＯＦＦ状態となる領域を意味する。
【００３７】
このように、平均値の検出を記録用レーザ光の高出力領域で行うことで、再生用レーザ光が分岐により生成される場合であっても、再生光の出力を確保することができる。特に、記録用レーザ光と再生用レーザ光の分岐比率が大きく、再生用レーザ光に十分な出力を確保しづらい場合に本手法が有効である。
【００３８】
即ち、ピットを記録している間は、通常の再生時よりも強い発光強度のレーザが出力されるため、この出力の高い条件を選択的に取り出して再生信号を取り込むことにより、比較的ノイズの少ない高精度な再生信号の検出が可能になる。
【００３９】
以上のようにして検出された再生信号に基づいて、記録条件をリアルタイムに補正することで、内外周差の対応が図られる。尚、記録用レーザ光と再生用レーザ光は、独立の光源から照射しても一のレーザ光を分岐して照射しても良く、分岐構成を用いる場合には、一のレーザ光は、特定の光源から照射されたレーザ光を何段階かに分けて分岐した場合の基になるレーザ光を含むものとする。即ち、あるレーザ光から中間分岐ステップを経て記録用レーザ光と再生用レーザ光を生成する場合も含むものとする。
【００４０】
また、請求項２記載の発明は、請求項１記載の発明において、前記ピーク値は、抽出した再生信号の最大値と最小値として検出され、前記平均値と前記最大値および最小値との差分をそれぞれ求める手段と、前記各差分を用いてβ相当値を算出する手段とをさらに具備し、前記パワー調整は、前記β相当値に基づいて行われることを特徴とする。
【００４１】
ここで、ピーク値は再生信号振幅の上下両ピークを求めることが望ましく、平均値を基準として上側のピークとなる最大値と下側のピークとなる最大値のそれぞれで差分を求め、これら差分値からβ相当値を算出することが望ましい。尚、β相当値は、「β相当値＝｛（最大値−平均値）−（平均値−最小値）｝／｛（最大値−平均値）＋（平均値−最小値）｝」により求めることが望ましい。
【００４２】
また、請求項３記載の発明は、請求項１記載の発明において、前記高出力領域は、前記記録パルスのレベルが一定となる定出力領域を有し、前記再生信号の抽出は、前記記録用レーザ光が前記定出力領域で照射されている期間内に行われることを特徴とする。
【００４３】
ここで、定出力領域とは、記録パルスがＯＮ状態であって、かつ、変調が少なく安定な領域を意味し、望ましくは一定時間以上の無変調状態が続く領域とする。より具体的には、記録パルスの高出力領域が長い１４Ｔや１１Ｔの定出力領域を用いることが望ましい。
【００４４】
このように、記録パルスの定出力領域内で平均値を求めることで、変調の影響を避けることが可能になる。即ち、記録と再生で同一の光源を用いる場合であっても、記録パルスが急峻な変化なく安定した無変調領域を選択的に使用することで、高出力かつ定出力のレーザ光に基づく再生信号の検出が行われ、その結果、高精度な信号平均値を得ることができる。
【００４５】
また、請求項４記載の発明は、複数種類の各符号に対応させて高出力領域および低出力領域の少なくとも２つの出力領域を有する記録パルスを設定し、該記録パルスに基づく記録用レーザ光の照射により光記録メディアにピットおよびスペースを形成すると同時に、再生用レーザ光の照射により前記ピットおよびスペースの検出を行う光情報記録装置において、前記再生用レーザ光によって得られた再生信号のうち、前記記録用レーザ光の高出力領域内で得られた部分を抽出する手段と、前記抽出した再生信号の平均値を検出する手段と、前記平均値に基づいて前記符号の種類を判定する手段とを具備することを特徴とする。
【００４６】
このように、再生信号の平均値に基づいて符号判定を行うことにより、ＰＲＭＬ（Partial Response and Maximum Likelihood）やビタビ等の高度な処理を行わずとも再生信号から符号情報を得ることができる。
【００４７】
また、請求項５記載の発明は、複数種類の各符号に対応させて高出力領域および低出力領域の少なくとも２つの出力領域を有する記録パルスを設定し、該記録パルスに基づく記録用レーザ光の照射により光記録メディアにピットおよびスペースを形成すると同時に、再生用レーザ光の照射により前記ピットおよびスペースの検出を行う光情報記録装置において、前記再生用レーザ光によって得られた再生信号のうち、前記記録用レーザ光の高出力領域内で得られた部分を抽出する手段と、前記抽出した再生信号の平均値を検出する手段と、前記平均値に基づいて前記形成されたピットおよび／またはスペースのずれ量を検出する手段とを具備することを特徴とする。
【００４８】
このように、再生信号の平均値に基づいて符号判定を行うことにより、ＰＲＭＬ（Partial Response and Maximum Likelihood）やビタビ等の高度な処理を行わずとも再生信号からピットおよび／またはスペースのずれ量を検出することができる。
【００４９】
また、請求項６記載の発明は、高出力領域および低出力領域の少なくとも２つの出力領域を有する記録パルスに基づく記録用レーザ光の照射により光記録メディアにピットおよびスペースを形成すると同時に、再生用レーザ光の照射により前記ピットおよびスペースの検出を行う光情報記録方法において、前記再生用レーザ光によって得られた再生信号のうち、前記記録用レーザ光の高出力領域内で得られた部分を抽出し、該抽出した再生信号の平均値およびピーク値を検出し、該検出した平均値およびピーク値を利用して前記記録用レーザ光のパワーを調整することを特徴とする。
【００５０】
また、請求項７記載の発明は、複数種類の各符号に対応させて高出力領域および低出力領域の少なくとも２つの出力領域を有する記録パルスを設定し、該記録パルスに基づく記録用レーザ光の照射により光記録メディアにピットおよびスペースを形成すると同時に、再生用レーザ光の照射により前記ピットおよびスペースの検出を行う光情報記録方法において、前記再生用レーザ光によって得られた再生信号のうち、前記記録用レーザ光の高出力領域内で得られた部分を抽出し、該抽出した再生信号の平均値、トップ値およびボトム値を検出し、該検出した平均値、トップ値およびボトム値に基づいて前記符号の種類を判定することを特徴とする。
【００５１】
また、請求項８記載の発明は、複数種類の各符号に対応させて高出力領域および低出力領域の少なくとも２つの出力領域を有する記録パルスを設定し、該記録パルスに基づく記録用レーザ光の照射により光記録メディアにピットおよびスペースを形成すると同時に、再生用レーザ光の照射により前記ピットおよびスペースの検出を行う光情報記録方法において、前記再生用レーザ光によって得られた再生信号のうち、前記記録用レーザ光の高出力領域内で得られた部分を抽出し、該抽出した再生信号の平均値を検出し、該検出した平均値に基づいて前記形成されたピットおよび／またはスペースのずれ量を検出することを特徴とする。
【００５２】
また、請求項９記載の発明は、高出力領域および低出力領域の少なくとも２つの出力領域を有する記録パルスに基づく記録用レーザ光の照射により光記録メディアにピットおよびスペースを形成すると同時に、再生用レーザ光の照射により前記ピットおよびスペースの検出を行う光情報記録装置に組み込まれる信号処理回路おいて、前記再生用レーザ光によって得られた再生信号のうち、前記記録用レーザ光の高出力領域内で得られた部分を抽出する手段と、前記抽出した再生信号の平均値を検出する手段と、前記抽出した再生信号のピーク値を検出する手段と、前記平均値と前記ピーク値とを利用して前記記録用レーザ光のパワーを調整する手段とを具備することを特徴とする。
【００５３】
また、請求項１０記載の発明は、複数種類の各符号に対応させて高出力領域および低出力領域の少なくとも２つの出力領域を有する記録パルスを設定し、該記録パルスに基づく記録用レーザ光の照射により光記録メディアにピットおよびスペースを形成すると同時に、再生用レーザ光の照射により前記ピットおよびスペースの検出を行う光情報記録装置に組み込まれる信号処理回路おいて、前記再生用レーザ光によって得られた再生信号のうち、前記記録用レーザ光の高出力領域内で得られた部分を抽出する手段と、前記抽出した再生信号の平均値を検出する手段と、前記平均値に基づいて前記符号の種類を判定する手段とを具備することを特徴とする。
【００５４】
また、請求項１１記載の発明は、複数種類の各符号に対応させて高出力領域および低出力領域の少なくとも２つの出力領域を有する記録パルスを設定し、該記録パルスに基づく記録用レーザ光の照射により光記録メディアにピットおよびスペースを形成すると同時に、再生用レーザ光の照射により前記ピットおよびスペースの検出を行う光情報記録装置に組み込まれる信号処理回路おいて、前記再生用レーザ光によって得られた再生信号のうち、前記記録用レーザ光の高出力領域内で得られた部分を抽出する手段と、前記抽出した再生信号の平均値を検出する手段と、前記平均値に基づいて前記形成されたピットおよび／またはスペースのずれ量を検出する手段とを具備することを特徴とする。
【００５５】
また、請求項１２記載の発明は、高出力領域および低出力領域の少なくとも２つの出力領域を有する記録パルスに基づく記録用レーザ光の照射により光記録メディアにピットおよびスペースを形成すると同時に、再生用レーザ光の照射により前記ピットおよびスペースの検出を行う光情報記録装置において、前記記録用レーザ光を用いてβ値を検出する手段と、前記再生用レーザ光によって得られた再生信号のうち、前記記録用レーザ光の高出力領域内で得られた部分を抽出する手段と、前記抽出した再生信号の平均値を検出する手段と、前記抽出した再生信号のピーク値を検出する手段と、前記平均値と前記ピーク値とを利用してβ相当値を検出する手段と、前記β値と前記β相当値との差分を検出する手段と、前記検出した差分を利用して前記β相当値を補正する手段とを具備することを特徴とする。
【００５６】
このように、記録用レーザ光で検出したβ値と、再生用レーザ光で検出したβ相当値の差分を補正することで、より高精度な最適パワー補正を行うことができる。即ち、記録用レーザ光のスポット径と再生用レーザ光のスポット径が異なる場合には、両者で検出したβ値にオフセットが生じるため、予めテストエリアを利用して記録用レーザ光で最適β値を判定しておき、この最適β値と再生用レーザ光で検出したβ相当値との相関を求め、この相関をオフセット補正値として再生用レーザ光で検出したβ相当値を補正することが望ましい。
【００５７】
また、請求項１３記載の発明は、高出力領域および低出力領域の少なくとも２つの出力領域を有する記録パルスに基づく記録用レーザ光の照射により光記録メディアにピットおよびスペースを形成すると同時に、再生用レーザ光の照射により前記ピットおよびスペースの検出を行う光情報記録方法において、前記記録用レーザ光を用いてβ値を検出するステップと、前記再生用レーザ光によって得られた再生信号のうち、前記記録用レーザ光の高出力領域内で得られた部分を抽出するステップと、前記抽出した再生信号の平均値を検出するステップと、前記抽出した再生信号のピーク値を検出するステップと、前記平均値と前記ピーク値とを利用してβ相当値を検出するステップと、前記β値と前記β相当値との差分を検出するステップと、前記検出した差分を利用して前記β相当値を補正するステップとを具備することを特徴とする。
【００５８】
また、請求項１４記載の発明は、高出力領域および低出力領域の少なくとも２つの出力領域を有する記録パルスに基づく記録用レーザ光の照射により光記録メディアにピットおよびスペースを形成すると同時に、再生用レーザ光の照射により前記ピットおよびスペースの検出を行う光情報記録装置に組み込まれる信号処理回路おいて、前記記録用レーザ光を用いてβ値を検出する手段と、前記再生用レーザ光によって得られた再生信号のうち、前記記録用レーザ光の高出力領域内で得られた部分を抽出する手段と、前記抽出した再生信号の平均値を検出する手段と、前記抽出した再生信号のピーク値を検出する手段と、前記平均値と前記ピーク値とを利用してβ相当値を検出する手段と、前記β値と前記β相当値との差分を検出する手段と、前記検出した差分を利用して前記β相当値を補正する手段とを具備することを特徴とする。
【発明の効果】
【００５９】
以上説明したように、本発明によれば、内外周差の記録特性が異なるメディアに対してもリアルタイムで記録条件の最適化を行うことができるため、記録品位のマージンを向上させることができる。
【発明を実施するための最良の形態】
【００６０】
以下、本発明の一実施形態を添付図面を参照して詳細に説明する。尚、本発明は、以下説明する実施形態に限らず適宜変更可能である。
【００６１】
図１は、本発明に係るドライブの内部構成を示すブロック図である。同図に示すように、このドライブ１００は、レーザダイオード１１０から出力されたレーザ光を用いて、光ディスク５００に対する情報の記録再生を行い、パーソナルコンピュータ６００等の外部装置との間でデータの送受信を行う。
【００６２】
光ディスク５００に対して情報の記録を行う場合は、パーソナルコンピュータ６００からインターフェース回路２１８を介して受信した記録データをＥＦＭエンコーダ／デコーダ２１６で符号化し、この符号化した記録データをＣＰＵ２１２で処理することで、当該光ディスク５００に対する記録条件となるストラテジを決定し、このストラテジをパルス生成回路３００で記録パルスに変換し、この記録パルスをＬＤドライバ１２４に出力する。
【００６３】
ＬＤドライバ１２４は、入力された記録パルスに基づいてレーザダイオード１１０を駆動し、レーザダイオード１１０は、この記録パルスに対応して出力レーザ光を制御し、この制御されたレーザ光をコリメータレンズ１１２、回折格子１１４、ハーフミラー１１６、対物レンズ１１８を介して、線速一定若しくは回転速度一定で回転する光ディスク５００に照射し、これにより光ディスク５００に、所望の記録データに対応したピット、スペース列からなる記録パターンが記録される。
【００６４】
一方、光ディスク５００上に記録された情報の再生を行う場合は、レーザダイオード１１０から再生レーザ光がコリメータレンズ１１２、回折格子１１４、ハーフミラー１１６、対物レンズ１１８を介して、光ディスク１０に照射される。
【００６５】
この時、再生レーザ光は、記録時のレーザ光よりも強度の低いレーザ光が用いられ、この再生レーザ光による光ディスク５００からの反射光が対物レンズ１１８、ハーフミラー１１６、受光レンズ１２０を介してディテクタ１２２で受光され、電気信号に変換される。
【００６６】
ディテクタ１２２から出力される電気信号は、光ディスク５００に記録されたピット、スペースからなる記録パターンに対応しており、この電気信号がスライサ２１０で２値化され、さらにＥＦＭエンコーダ／デコーダ２１６で、デコードされて再生信号として出力される。
【００６７】
図２は、図１に示したドライブ内に組み込まれるピックアップ部の構造を示す分解斜視図である。同図に示すように、レーザダイオード１１０と光ディスク５００の盤面との間に設けられた回折格子は、２枚の回折格子１１４−１、１１４−２で構成され、各回折格子には、方向の異なる溝１１５−１、１１５−２がそれぞれ形成される。
【００６８】
このように構成される回折格子にレーザ光２０が入射すると、第１の回折格子１１５−１で３つのレーザ光に分岐し、さらに、第２の回折格子１１５−２で３つのレーザ光に分岐して、５つのスポット２０Ａ〜２０Ｅが光ディスクの盤面に照射される。
【００６９】
図３は、光ディスクの盤面上に照射されたスポットの配置を示す平面図である。同図に示すように、光ディスク５００の盤面上には、記録用メインビーム２０Ａ、トラッキング用先行サブビーム２０Ｂ、トラッキング用後行サブビーム２０Ｃ、再生用先行サブビーム２０Ｄ、再生用後行サブビーム２０Ｅが照射される。
【００７０】
ここで、記録用メインビーム２０Ａは、光ディスク５００に形成されたグループ５０２−２上に照射され、このビームスポットの照射によって、グルーブ５０２−２内にピット５０６が形成される。この記録用メインビーム２０Ａは、ヒートモードによるピットの形成を可能とするために最も発光強度が高く設定される。
【００７１】
トラッキング用先行サブビーム２０Ｂは、メインビーム２０Ａが照射されたグルーブ５０２−２と隣接するランド５０４−３上に照射され、トラッキング用後行サブビーム２０Ｃは、メインビーム２０Ａが照射されたグルーブ５０２−２と隣接するランドであって、サブビーム２０Ｂが照射されたランドとは反対側のランド５０４−２に照射される。
【００７２】
再生用先行サブビーム２０Ｄは、メインビーム２０Ａが照射されたグルーブと同一のグルーブ５０２−２上であって、メインビーム２０Ａよりも先行した位置に照射され、再生用後行サブビーム２０Ｅは、メインビーム２０Ａが照射されたグルーブと同一のグルーブ５０２−２上であって、メインビーム２０Ａよりも後ろの位置に照射される。
【００７３】
各スポットをこのように配置することで、メインビーム２０Ａによって形成された記録パターン、即ち、ピット５０６とスペース５０８の組み合わせで構成される記録パターンを再生用後行サブビーム２０Ｅで検出することが可能になる。
【００７４】
図４は、光ディスクの盤面上に照射されるスポットとディテクタとの関係を示す概念図である。同図に示すように、図１に示したディテクタ１２２は、１２２Ａ〜１２２Ｅまでの５つの受光部で構成され、各受光部には、スポット２０Ａ〜２０Ｅに対応する反射光２２Ａ〜２２Ｅがそれぞれ照射され、電気信号に変換される。
【００７５】
図５は、記録パルスの形状と安定領域との関係を示す概念図である。同各図に示すように、図１に示したＬＤドライバ１２４から出力される記録パルスには、様々な形状があり、それぞれ、記録パルスのＯＮ状態を示す高出力領域５０と、ＯＦＦ状態を示す低出力領域５２と、ＯＮ状態であって変調が少ない定出力領域５４とを備える。
【００７６】
より具体的には、同図（ａ）は、ＯＮ状態で一定の出力となる記録パルスであり、同図（ｂ）は、先頭部と後続部で高さが異なる記録パルスであり、同図（ｃ）は、先頭部、中間部、後端部で高さが異なる記録パルスであり、同図（ｄ）は、先頭部に定出力部が形成された後、後続部で出力を数回変化させた記録パルスである。
【００７７】
本発明では、記録パルスがＯＮとなった状態で、再生信号を取り込むことを意図しているため、後述するゲート信号は、高出力領域５０に対応させて生成することが望ましいが、より望ましくは、変調の影響を受けにくい定出力領域５４に対応させて生成する。この定出力領域５４は、便宜上、高出力領域５０の中で最も安定した状態の長い区間と定義するが、安定状態が最も長い区間よりも短い安定領域であっても、定出力領域として使用することが可能である。尚、以後の説明では、同図（ｃ）のキャッスル型と称されるパルス形状を例に説明するが、本発明は、他の記録パルスにも適用可能である。
【００７８】
例えば、同図に示すような相変化型の光ディスクで用いられる記録パワーに適用する場合には、高出力と低出力との繰り返しにより相変化材料が急冷されてアモルファス（非結晶）状態となる高出力領域５０と、メインビームでサーボがかかる程度の０．７〜１ｍＷ程度のパワーが出力される低出力領域５２と、ゆっくり冷却されて結晶状態になる定出力領域５４とで構成される記録パルスのうち、消去パワーに相当する定出力領域５４に対応させてゲート信号を生成し、この定出力領域５４にサブビームで再生された信号を取り込む構成とすれば良い。
【００７９】
図６は、図１に示したパルス生成回路の内部構成を示す回路ブロック図である。同図に示すように、本パルス生成回路３００では、図１のＣＰＵ２１２から送出されたストラテジ条件ＳＤ１、ＳＤ２をパルスユニット生成回路３１０−１、３１０−２でそれぞれ受信し、クロック信号ＣＬＫに同期したパルス信号ＰＷ１、ＰＷ２を生成する。
【００８０】
ここで、ストラテジ条件ＳＤ１、ＳＤ２は、パルスのＯＮ期間とＯＦＦ期間の長さをクロック数で示した数値データとして定義されており、これらのデータを受けたパルスユニット生成回路３１０−１、３１０−２は、ドライブ内で生成されたクロック信号ＣＬＫを用いて、ストラテジ条件ＳＤ１、ＳＤ２が示す条件のパルス信号を生成する。
【００８１】
これらのパルス信号ＰＷ１、ＰＷ２は、図１のＬＤドライバ１２４に出力されるとともに、ＡＮＤ演算器３１６でパルス信号ＰＷ１の反転信号とパルス信号ＰＷ２との論理積が取られ、ゲート信号Ｇａｔｅとして図１のマスク回路４００に出力される。尚、パルス信号ＰＷ１の反転信号は、反転回路３１４によって生成される。
【００８２】
図７は、図６に示したゲート信号の生成概念を示すタイミングチャートである。同各図に示すように、記録パルスの定出力領域に対応したゲート信号は、記録パルスの構成要素となるパルス信号ＰＷ１、ＰＷ２を用いて生成される。即ち、同図（ｂ）および（ｃ）に示すように、パルス信号ＰＷ１、ＰＷ２は、同図（ａ）のクロック信号ＣＬＫと同期して生成され、このパルス信号ＰＷ１から、同図（ｄ）に示す反転信号が生成される。
【００８３】
そして、同図（ｃ）のパルス信号ＰＷ２と同図（ｄ）に示す反転信号とのレベルを同各図に示すように定義して論理積を取ると、同図（ｅ）に示すゲート信号が得られる。その結果、このようにして得られたゲート信号は、記録パルスの定出力領域に対応したものとなる。
【００８４】
図８は、図１に示したＬＤドライバの内部構成を示す回路図である。同図に示すように、ＬＤドライバ１２４は、抵抗Ｒ１、Ｒ２を用いた分圧回路と、これらの出力電圧を合成する合成器１２６とで構成され、パルス生成回路３００からのパルス信号ＰＷ１、ＰＷ２は、抵抗Ｒ１、Ｒ２を介して所定の出力レベルに増幅された後、合成器１２６にて論理和合成され、記録パルスＰＷＲが生成されて、図１のレーザダイオード１１０に出力される。
【００８５】
図９は、図１に示したマスク回路の内部構成を示す回路ブロック図である。同図に示すように、マスク回路４００は、２つのＡＮＤ演算器４１０−１、４１０−２で構成され、初段のＡＮＤ演算器４１０−１には、図１のパルス生成回路３００で生成されたゲート信号Ｇａｔｅと、図１のＣＰＵ２１２で生成されたフラグ信号Ｆｌａｇとが入力され、これらの論理積を取ったゲート信号Ｇａｔｅ’が後段のＡＮＤ演算器４１０−２に出力される。
【００８６】
ＡＮＤ演算器４１０−２は、このゲート信号Ｇａｔｅ’を用いて、図４のディテクタ１２２Ｅが出力する再生用後行サブビーム２０Ｅで再生されたＲＦ信号ＲＦ−Ｓｕｂにマスクをかけ、ゲート信号Ｇａｔｅ’に対応した部分のＲＦ信号ＲＦ−Ｓｕｂ’を抽出して、図１のスライサ２１０に出力する。その結果、記録パルスの定出力領域で再生されたＲＦ信号ＲＦ−Ｓｕｂ’が選択的に抽出されるため、精度の高いピット検出が行われる。
【００８７】
そして、この検出されたピットの長さや位相情報に基づいて、図１のＣＰＵ２１２がストラテジの補正条件を算出し、パルス生成回路３００に出力するストラテジ条件に補正をかける。その結果、データの記録中に記録条件が補正されるリアルタイム補正が行われる。
【００８８】
図１０は、記録パルスとゲートパルスと再生信号との関係を示すタイミングチャートである。同図（ａ）に示すように、記録パルスＰＷＲは、所定のデータパターンに対応してＯＮ／ＯＦＦが変化するパルスパターンとなる。ここで、最も長い無変調領域を有するピット１４Ｔの定出力領域５４をゲート信号として使用する場合を想定すると、図１のパルス回路３００で生成されるゲート信号Ｇａｔｅは、同図（ｂ）に示すタイミングで出力され、図１のＣＰＵ２１２で生成されるフラグ信号Ｆｌａｇは、同図（ｃ）に示すタイミングで出力され、図９のマスク回路４００内で生成されるゲート信号Ｇａｔｅ’は、同図（ｄ）に示すタイミングで出力され、このゲート信号Ｇａｔｅ’を用いて同図（ｅ）のＲＦ−Ｓｕｂ信号を抽出した結果が同図（ｆ）のＲＦ−Ｓｕｂ’信号となる。
【００８９】
このように、最終的に抽出された再生信号ＲＦ−Ｓｕｂ’は、記録パルスＰＷＲの定出力領域５４で再生された信号であるため、この信号を用いることで高精度なピットの検出が可能となり、ひいてはストラテジの正確な補正が可能となる。
【００９０】
図１１は、図１に示したＣＰＵが実行するフラグ信号の生成手法を示す概念図である。同図に示す例は、ピット１４Ｔの定出力領域内に存在するスペース４Ｔを選択的に検出する場合の例である。同図に示すように、ＣＰＵ２１２は、記録パルスのデータ長に対応する数値を順次メモリ２１４に蓄積し、ピット１４Ｔ（同図中、「Ｐ１４」と示す）の定出力領域内にスペース４Ｔ（同図中、「Ｌ４」と示す）が存在するデータを特定し、この特定したピット１４Ｔのデータにフラグを立てる。
【００９１】
ここで、記録用のメインビームと再生用のサブビームとの時間差をτと定義すると、ＣＰＵ２１２は、時間差τをクロック数で換算し、ピット１４Ｔからスペース４Ｔまでの間に存在するデータ長を時間差τと比較する。その結果、ピット１４Ｔから時間差τ離れた領域であって、かつ、このピット１４Ｔの定出力領域に相当する範囲内にスペース４Ｔのデータが存在していれば、当該ピット１４Ｔにフラグを立て、図１０に示したタイミングでフラグ信号Ｆｌａｇを出力する。
【００９２】
図１２は、記録用のメインビームと再生用のサブビームとの関係を示すタイミングチャートである。同図（ａ）に示すように、記録用メインビームの出力は、ピットの形成に必要な高出力のパルスパターンとなり、このパルス照射によって光ディスク上に形成されたピットパターンは、同図（ｂ）に示すようになる。
【００９３】
一方、同図（ｃ）に示すように、再生用サブビームの出力は、記録用メインビームの出力パターンと同一のタイミングであって、記録用メインビームよりも分岐比率分だけ出力が縮小されたパルスパターンとなり、この再生用サブビームで再生されるピットパターンは、同図（ｄ）に示すように、記録中のピットから時間差τだけ遅れたパターンとなる。
【００９４】
従って、ピット１４Ｔの記録中に再生されたスペース４Ｔを検出する場合には、同図（ｅ）に示すように、記録パルスのパターンを時間差τだけ遅延させたパルスのスペース４Ｔと、記録パルスのピット１４Ｔの定出力領域とが重なる位置を特定すれば良いことになる。即ち、記録パルスのうち長いピットの定出力領域から第１のゲート信号を生成するとともに、記録パルスを時間差τだけ遅延させたパルスパターンのうち、検出対象とする短いピットまたはスペースに相当するパルスから第２のゲート信号を生成し、これら第１および第２のゲート信号を用いて、再生用サブビームから得られたＲＦ信号にマスクをかける構成が有用となる。
【００９５】
図１３は、記録パルスと、該記録パルスを遅延させたパルスと、ＲＦ信号との関係を示すタイミングチャートである。同各図に示すように、記録パルスＰＷＲを時間τだけ遅延させたパルスＰＷＲ’を生成し、記録パルスＰＷＲのピット１４Ｔの定出力領域内に、遅延パルスＰＷＲ’のスペース４Ｔが含まれる部分をゲート信号Ｇａｔｅ’とすれば、長いピットの記録中に短いピットまたはスペースを選択的に検出することが可能になり、その結果、ピットの長さズレや位相ズレを正確に検出することができる。
【００９６】
図１４は、長いピットの記録中に短いピットまたはスペースを検出する手法の例を示したブロック図である。同図は、図１のＥＦＭエンコーダ／デコーダ２１６により、メインビームが１４Ｔピットを記録する間にサブビーム下に存在する４Ｔスペースを検出する場合の構成例である。
【００９７】
このように構成する場合、ＥＦＭエンコーダ／デコーダ２１６は、同図に示すように、図１のスライサ２１０から入力された８ビットの２値化信号を一旦バッファ２５０−１に蓄積し、このバッファから出力された８ビットデータを変換テーブル２５２に従って１６ビットのデータに変換してバッファ２５０−２に出力する。このとき、遅延器２５４による時間Ｔの遅延操作が一変換ごとに行われる。
【００９８】
バッファ２５０−２に蓄積されたデータは、カウンタ２５６に出力され、パルス長ｎＴ（ｎ＝３〜１４）を示すデータとして、図１に示すＣＰＵ２１２を経て、パルス生成回路３００に出力され、該当する記録パルスが生成される。
【００９９】
図１５は、図１４に示したカウンタ２５６と図１のパルス生成回路３００との関係を示すブロック図である。同図に示すように、カウンタ２５６は、バッファ２５０−２からパルス生成回路３００に向けて流れるデータストリームの中から、１４Ｔピットに相当するビット列を特定する１４Ｔデコーダ２５８と、４Ｔスペースに相当するビット列特定する４Ｔデコーダ２５９とを具備する。
【０１００】
図１６は、図１４に示したバッファ２５０−２がビット列を蓄積する際の例を示す概念図である。同図（ｃ）に示すように、バッファ２５０−２には、同図（ａ）に示すクロック信号と同期した形でピットまたはスペースの長さを示すデータが格納される。
【０１０１】
例えば、３Ｔの長さは、「１００」で表現し、４Ｔの長さは「１０００」で表現し、５Ｔの長さは「１００００」で表現し、１４Ｔの長さは「１０００００００００００００」で表現する。
【０１０２】
よって、同図（ｂ）に示すようなパルスが入力された場合には、バッファ２５０−２に格納されるビット列は、同図（ｃ）に示すように、４Ｔスペースに相当する部分が「１０００」となり、１４Ｔピットに相当する部分が「１０００００００００００００」となり、各々のパルス幅がビット数で表現された形式で蓄積される。
【０１０３】
ここで、記録用のメインビームと再生用のサブビームとの間隔が３００ビットに相当する場合には、同図（ｃ）に示すように、バッファ２５０−２に蓄積されたビット列の中から、現在記録中の１４Ｔピットの位置を特定し、該１４Ｔピットから３００ビット離れた位置に４Ｔスペースのビット列があるか否かを判定する。
【０１０４】
その結果、４Ｔスペースのビット列があった場合には、メインビームによる１４Ｔピットの記録中に、サブビームによって４Ｔスペースを検出することができるタイミングと判断し、このタイミングで得られた信号を用いてリアルタイム補正の条件を決定する。
【０１０５】
図１７は、１４Ｔピットの記録中に検出対象となる４Ｔスペースのバリエーションを示す概念図である。同図（ａ）に示すように、１４Ｔピットの記録パルスが高出力の３Ｔパルスと、安定出力の９Ｔパルスと、高出力の２Ｔパルスとで構成される場合には、安定出力領域内に収まる４Ｔスペースが検出対象となる。
【０１０６】
よって、１４Ｔパルスの中央部に出現した４Ｔスペースを抽出することが最も望ましいが、これでは出現確率が低くなるため、４Ｔスペースの両端が１４Ｔピットの安定出力領域をはみ出さない場合も抽出対象となるようにカウンタ回路を設けておく。
【０１０７】
例えば、同図（ａ）に示した１４Ｔピットのパルスから、同図（ｂ）に示したゲート信号を生成し、このゲート信号の中に収まる同図（ｃ）のハッチで示した４Ｔスペースが特定できるデータパターンを用意しておき、このデータパターンに合致するビット列を抽出する。
【０１０８】
図１８は、長いピットの記録中に短いピットまたはスペースを検出する手法の別の例を示したブロック図である。同図に示す例は、ある時間内で発生するパルス数を基準として、長いピットの記録中に短いピットまたはスペースが存在するか否かを判定する例である。
【０１０９】
同図に示した回路ブロックでは、スライサ２１０から出力された２値化信号ＳＬ  ＲＦ−Ｓｕｂ’を反転回路４２０−１を介してＡＮＤ演算器４２２に入力するとともに、図１のパルス生成回路３００から出力されるゲート信号ＧａｔｅをＡＮＤ演算器４２２に入力する。
【０１１０】
ＡＮＤ演算器４２２は、これら入力された信号の論理積をカウンタ４２４のセット端子に出力し、この信号を受けたカウンタ４２４は、反転回路４２０−２で反転されたゲート信号が示す区間内に生じたパルス数を計数し、その結果を判定信号Ｄｅｔｅｃｔｉｏｎ  Ｅｎａｂｌｅとして、図１のＣＰＵ２１２に出力する。尚、反転回路４２０−２で反転されたゲート信号は、カウンタ４２４のリセット信号として使用される。
【０１１１】
ＣＰＵ２１２は、この判定信号が示すパルス数が所定の数以上、例えば２回以上発生されたかを基準に１４Ｔピットの記録中に４Ｔスペースが存在するか否かを判定し、存在すると判定した場合に当該４Ｔスペースから得られた信号の取り込みを行う。
【０１１２】
図１９は、図１８に示した回路ブロックの処理例を示すタイミングチャートである。同図（ａ）に示すように、スライサ２１０に入力された信号ＲＦ−Ｓｕｂ’は、あるレベルで２値化されて、同図（ｂ）に示すようなパルス信号ＳＬ  ＲＦ−Ｓｕｂ’が生成される。
【０１１３】
そして、図１に示したパルス生成回路３００にて同図（ｃ）および（ｄ）に示す信号から生成された同図（ｅ）に示すゲート信号Ｇａｔｅと、反転回路４２０−１にて生成された同図（ｆ）に示す反転信号との論理積が取られることで、同図（ｇ）に示す判定信号Ｄｅｔｅｃｔｉｏｎ  Ｅｎａｂｌｅが生成される。
【０１１４】
図２０は、図１８の回路ブロックにより生成された判定信号の判定基準を示す概念図である。同各図に示すように、この例では、同図（ａ）の区間内に２回以上のパルスをカウントした場合に、１４Ｔピットの記録中に１４Ｔの安定領域を示すゲート信号Ｇａｔｅ内に収まるスペース、例えば、３Ｔ〜７Ｔのスペースが存在すると判定され、この４Ｔスペースから得られた信号の取り込みが行われる。
【０１１５】
よって、同図（ｂ）に示すように、ゲート信号内にパルスが２回カウント出来た場合は、１４Ｔピットの記録中に１４Ｔの安定領域を示すゲート信号Ｇａｔｅ内に収まるスペース、例えば、３Ｔ〜７Ｔのスペースが存在すると判定され、この４Ｔスペースから得られた信号が取り込まれる。他方、同図（ｃ）および（ｄ）に示すように、１回しかカウントできなかった場合は、１４Ｔピットの記録中に４Ｔスペースが存在しないと判定され、信号の取り込みは行われない。
【０１１６】
図２１は、長いピットの記録中に短いピットまたはスペースを検出する手法の別の例を示したブロック図である。同図に示す例は、ゲート信号内で発生したパルスの長さを測定することで、長いピットの記録中に短いピットまたはスペースが存在するか否かを判定する例である。
【０１１７】
同図に示した回路ブロックでは、ＡＮＤ演算器４２２により、スライサ２１０から出力された２値化信号ＳＬ  ＲＦ−Ｓｕｂ’と、図１のパルス生成回路３００から出力されたゲート信号Ｇａｔｅと、クロック信号ＣＬＫとの論理積が取られ、計数可能な信号Ｃｏｕｎｔａｂｌｅ  Ｐｕｌｓｅとしてカウンタ４２４のセット端子に入力され、カウンタ４２４によって当該信号の長さが計数される。尚、このカウンタには、リセットパルス生成回路４２６が生成したリセットパルスが入力される。
【０１１８】
図２２は、図２１に示した回路ブロックの処理例を示すタイミングチャートである。同図（ａ）に示すように、スライサ２１０に入力された信号ＲＦ−Ｓｕｂ’は、あるレベルで２値化されて、同図（ｂ）に示すようなパルス信号ＳＬ  ＲＦ−Ｓｕｂ’が生成される。
【０１１９】
そして、図１に示したパルス生成回路３００にて生成された同図（ｃ）に示すゲート信号Ｇａｔｅと、同図（ｄ）に示すクロック信号ＣＬＫとの論理積が取られることで、同図（ｅ）に示す計数可能な信号Ｃｏｕｎｔａｂｌｅ  Ｐｕｌｓｅが生成される。尚、ここで取り上げたクロック信号は、「１Ｔ＝１周期」とした場合の例を用いて説明したが、より高速のクロック、例えば、「１Ｔ＝４０周期」のクロックを用いて長さ検出の分解能を向上させても良い。
【０１２０】
図２３は、図２１に示したリセットパルス生成回路４２６の処理例を示すタイミングチャートである。同図に示すように、リセットパルス生成回路４２６は、同図（ａ）に示すクロック信号ＣＬＫを２回に１回カウントして同図（ｂ）に示す中間信号ＣＬＫ／２を生成し、さらに、この中間信号ＣＬＫ／２を２回に１回カウントして同図（ｃ）に示す中間信号ＣＬＫ／４を生成する。
【０１２１】
そして、同図（ｄ）に示すように、同図（ｃ）の２回目の立ち上りに同期させて立ち上がり、ゲート信号Ｇａｔｅ相当の長さを走査したときに立ち下がるリセット信号Ｒｅｓｅｔを生成する。このリセット信号が図２１に示したカウンタ４２４のリセット端子に入力されることで、カウンタの計数結果がリセットされる。
【０１２２】
尚、同図（ａ）に示すクロック信号として「１Ｔ＝４０周期」の信号を用いる場合であって、ゲート信号Ｇａｔｅが９Ｔ相当の幅を有するときは、クロック信号を３６０回カウントしたときに同図（ｄ）に示すリセット信号Ｒｅｓｅｔが立ち下がり、カウンタ４２４がリセットされる。
【０１２３】
同様に、同図（ａ）に示すクロック信号として「１Ｔ＝２．５周期」の信号を用いる場合であって、ゲート信号Ｇａｔｅが９Ｔ相当の幅を有するときは、クロック信号を２２．５回カウントしたときに同図（ｄ）に示すリセット信号Ｒｅｓｅｔが立ち下がり、カウンタ４２４がリセットされる。ただし、「１Ｔ＝２．５周期」のようにクロック信号の周期が単位長Ｔの整数倍でない場合は、「２Ｔ＝５周期」のように整数倍として扱われる。
【０１２４】
図２４は、図１に示したマスク回路の別の構成例を示す回路ブロック図である。同図に示すマスク回路は、タンジェンシャルプッシュプル信号Ｔｐｐを利用して長さ検出を行う場合の例である。
【０１２５】
同図に示すように、このマスク回路４００は、４つの分割領域を備えたディテクタ１２２からの信号を用いてタンジェンシャルプッシュプル信号Ｔｐｐを生成するタンジェンシャルプッシュプル信号生成回路４３０と、このタンジェンシャルプッシュプル信号Ｔｐｐの振幅を一定にするＶＧＡ回路４３２（ＶＧＡ：Ｖｏｌｕｍｅ  Ｇａｉｎ  Ａｍｐ）と、タンジェンシャルプッシュプル信号Ｔｐｐを微分する微分回路４３４と、タンジェンシャルプッシュプル信号Ｔｐｐの微分値とゲート信号Ｇａｔｅとの論理積を取るＡＮＤ演算器４２２とで構成される。
【０１２６】
ここで、タンジェンシャルプッシュプル信号生成回路４３０は、ディタクタ１２２の分割領域を同図に示すように光メディアの回転接線方向Ｔａｎとの関係でＡ、Ｂ、Ｃ、Ｄとした場合に、回転方向の前方に位置するＡおよびＢから得られた信号の合計と、回転方向の後方に位置するＣおよびＤから得られた信号の合計との差を求め、この差信号をタンジェンシャルプッシュプル信号Ｔｐｐとして出力する。この関係を式で記述すると、同図に示すように、「Ｔｐｐ＝（Ａ＋Ｂ）−（Ｃ＋Ｄ）」となる。
【０１２７】
ＶＧＡ回路４３２は、上記タンジェンシャルプッシュプル信号Ｔｐｐの振幅を一定化させた信号Ｔｐｐ−Ｓｕｂを生成し、この信号を受けた微分回路４３４は、該Ｔｐｐ−Ｓｕｂ信号を微分してΔ（Ｔｐｐ−Ｓｕｂ）信号を生成する。
【０１２８】
ＡＮＤ演算器４２２は、上記Δ（Ｔｐｐ−Ｓｕｂ）信号とゲート信号Ｇａｔｅとの論理積を取ることで、記録パルスの光出力安定領域に相当する信号Δ（Ｔｐｐ−Ｓｕｂ’）を抽出し、スライサ２１０がこのΔ（Ｔｐｐ−Ｓｕｂ’）信号をゼロレベルでスライスしてＳＬ  Δ（Ｔｐｐ−Ｓｕｂ’）信号を生成する。
【０１２９】
図２５は、図２４に示した回路の動作を示す第１のタイミングチャートである。同図（ａ）に示すように、図２４に示したディテクタが検出したＲＦ信号は、符号Ｘ１．０で示した１倍速記録の信号と符号Ｘ１．５で示した１．５倍速記録の信号とで、それぞれ振幅とゼロ点が異なる波形となる。
【０１３０】
また、図２４に示したＶＧＡ回路４３２が出力するタンジェンシャルプッシュプル信号Ｔｐｐ−Ｓｕｂは、同図（ｂ）に示すように、符号Ｘ１．０で示した１倍速記録の信号と符号Ｘ１．５で示した１．５倍速記録の信号とで、振幅は異なるがゼロ点が一致した波形となる。このタンジェンシャルプッシュプル信号Ｔｐｐ−Ｓｕｂのゼロ点は、同図（ａ）に示したＲＦ信号ＲＦ−Ｓｕｂのピーク位置に相当する。
【０１３１】
また、図２４に示した微分回路４３４が出力するタンジェンシャルプッシュプル信号の微分値Δ（Ｔｐｐ−Ｓｕｂ）は、同図（ｃ）に示すように、符号Ｘ１．０で示した１倍速記録の信号と符号Ｘ１．５で示した１．５倍速記録の信号とで、振幅は異なるがゼロ点が一致した波形となる。このタンジェンシャルプッシュプル信号の微分値Δ（Ｔｐｐ−Ｓｕｂ）のゼロ点は、同図（ｂ）に示したタンジェンシャルプッシュプル信号Ｔｐｐ−Ｓｕｂのピーク位置に相当し、同図（ａ）に示したＲＦ信号ＲＦ−Ｓｕｂの傾きが最大点となる位置に相当する。
【０１３２】
図２６は、図２４に示した回路の動作を示す第２のタイミングチャートである。同図（ａ）は、図２４に示した微分回路４３４が出力するタンジェンシャルプッシュプル信号の微分値Δ（Ｔｐｐ−Ｓｕｂ）を示す図であり、この微分値は、同図（ｂ）に示すゲート信号Ｇａｔｅでマスクされ、同図（ｃ）に示すように、タンジェンシャルプッシュプル信号の微分値Δ（Ｔｐｐ−Ｓｕｂ）がゲート信号Ｇａｔｅで切り出された信号Δ（Ｔｐｐ−Ｓｕｂ’）となる。
【０１３３】
そして、図２４に示したスライス回路２１０によって、信号Δ（Ｔｐｐ−Ｓｕｂ’）のゼロクロス点が抽出され、同図（ｄ）に示すようなパルス信号ＳＬ  Δ（Ｔｐｐ−Ｓｕｂ’）が生成される。このパルス信号が前述した記録用パルスの高出力安定期間内に存在する短いピットまたはスペース信号となり、前述の例では４Ｔスペースの検出信号となる。
【０１３４】
以上説明したタンジェンシャルプッシュプル信号の微分値を利用して、ピットまたはスペースの長さを検出する構成により、リアルタイムで長さのズレを検出し、このズレを補正しながら記録を行う。
【０１３５】
ここで、前述したように、単にタンジェンシャルプッシュプル信号の微分値を利用するだけでは、３Ｔや４Ｔといった短い信号の干渉が生じ、正確な長さを検出することができない。
【０１３６】
そこで、本実施形態では、予めテスト領域へのテスト記録により、補正基準とするタンジェンシャルプッシュプル信号の微分値を求めておき、記録領域への本記録の際には、記録用レーザ光で記録したピットまたはスペースを再生用レーザ光で再生し、得られた再生信号からタンジェンシャルプッシュプル信号の微分値を求め、この記録領域で求めた微分値とテスト領域で求めた微分値との差異を長さズレ量とみなして、このズレ量の補正に適した記録条件を設定する。
【０１３７】
図２７は、テスト領域で求めたピットおよびスペースに関するタンジェンシャルプッシュプル信号の微分値と実際の物理長との関係を示すグラフである。同図（ａ）に示すように、例えば３Ｔ〜８Ｔの長さを有するピットをテスト記録によりテスト領域内に形成すると、各ピット長に対するタンジェンシャルプッシュプル信号の微分値を得ることができ、この微分値から各ピット長の長さを予測することができる。ここで、比較的長い５Ｔ〜８Ｔピットについては、図中の点線で示す本来の物理長に相当する長さが得られるが、干渉が生じ易い３Ｔ、４Ｔピットについては、本来の物理長とは異なる長さとして検出される。
【０１３８】
同様に、同図（ｂ）に示すように、例えば３Ｔ〜８Ｔの長さを有するスペースをテスト記録により形成すると、各スペース長に対するタンジェンシャルプッシュプル信号の微分値を得ることができ、この微分値から各スペース長の長さを予測することができる。ここで、比較的長い５Ｔ〜８Ｔスペースについては、図中の点線で示す本来の物理長に相当する長さが得られるが、干渉が生じ易い３Ｔ、４Ｔスペースについては、本来の物理長とは異なる長さとして検出される。
【０１３９】
よって、同図（ａ）に示した各ピット長に対するタンジェンシャルプッシュプル信号の微分値を補正基準とするか、同図（ｂ）に示した各スペース長に対するタンジェンシャルプッシュプル信号の微分値を補正基準とすることで、干渉の影響を回避することができる。
【０１４０】
図２８は、記録領域で求めたピットおよびスペースに関するタンジェンシャルプッシュプル信号の微分値とテスト領域で求めたピットおよびスペースに関するタンジェンシャルプッシュプル信号の微分値との関係を示すグラフである。同図（ａ）に示すように、例えば３Ｔ〜８Ｔの長さを有するピットパターンを記録用レーザ光により記録領域内に記録しつつ再生用レーザ光により再生すると、図中に黒丸で示した各ピット長に対するタンジェンシャルプッシュプル信号の微分値が得られ、この微分値をテスト記録で得た図中に白丸で示す微分値に合わせる補正を行うことで、本来の物理長に適合したピットおよびスペースから成る記録パターンを形成することができる。
【０１４１】
同様に、同図（ｂ）に示すように、例えば３Ｔ〜８Ｔの長さを有するスペースパターンを記録用レーザ光により記録領域内に記録しつつ再生用レーザ光により再生すると、図中に黒丸で示した各スペースに対するタンジェンシャルプッシュプル信号の微分値が得られ、この微分値をテスト記録で得た図中に白丸で示す微分値に合わせる補正を行うことで、本来の物理長に適合したピットおよびスペースから成る記録パターンを形成することができる。
【０１４２】
図２９は、テスト領域内のタンジェンシャルプッシュプル信号の微分値を得るために行うテスト記録の一例を示した概念図である。同図に示すように、記録パルスの前位相ズレ、後位相ズレ、熱干渉に対する影響の検査が可能なパターンを用いたテスト記録によって、各ピットまたはスペース長ごとにＲＦ長ａ０１〜ａ１５およびタンジェンシャルプッシュプル信号の微分値ｂ０１〜ｂ１５を求め、これらを所定の記憶領域に格納しておく。
【０１４３】
図３０は、記録領域内のタンジェンシャルプッシュプル信号の微分値を得るために行うテスト記録の一例を示した概念図である。同図に示すように、記録領域に形成されたピットおよびスペースのパターンから記録パルスの前位相ズレ、後位相ズレ、熱干渉に対する影響の検査が可能なパターンを抽出することによって、各ピットまたはスペース長ごとにタンジェンシャルプッシュプル信号の微分値ｃ０１〜ｃ１５および図２９に示したテスト記録で得たタンジェンシャルプッシュプル信号との差分ｄ０１〜ｄ１５を求め、これらを所定の記憶領域に格納する。
【０１４４】
図３１は、  図３０に示したタンジェンシャルプッシュプル信号の差分を用いて記録パルスの補正を行う例を示した概念図である。同各図に示すように、同図（ａ）に示す記録データを光ディスク上に記録する場合には、各ピット長ごとに最適な補正値が適用されたストラテジが設定される。例えば、３Ｔピットを記録する場合には、同図（ｂ）に示すように、図３０に示した記憶データの前位相ズレ３Ｔピットの前端補正値Ｔｔｏｐを読み出すとともに、３Ｔピットの後端補正値Ｔｌａｓｔを読み出して、記録パルスの前端および後端を当該ＴｔｏｐおよびＴｌａｓｔで補正する。
【０１４５】
また、４Ｔピット以上を補正する場合は、同図（ｃ）〜（ｆ）に示すように、ＴｔｏｐおよびＴｌａｓｔに加えて、該当ピット長の安定領域の高さＰＷＤを加えてパルス形状の補正を行う。
【０１４６】
図３２は、図１に示したマスク回路の別の構成例を示す回路ブロック図である。同図に示すマスク回路は、ＲＦ信号の２回微分値を利用して長さ検出を行う場合の例である。
【０１４７】
同図に示すように、このマスク回路４００は、４つの分割領域を備えたディテクタ１２２からの信号を用いてＲＦ信号を生成するＲＦ信号生成回路４３６と、このＲＦ信号の振幅を一定にするＶＧＡ回路４３２と、ＲＦ信号を２回微分する微分回路４３４−１および４３４−２と、該２回微分値とゲート信号Ｇａｔｅとの論理積を取るＡＮＤ演算器４２２とで構成される。
【０１４８】
ここで、ＲＦ信号生成回路４３６は、ディタクタ１２２の分割領域Ａ、Ｂ、Ｃ、Ｄから得られた信号の合計をＲＦ信号Ｔｐｐとして出力する。この関係を式で記述すると、同図に示すように、「ＲＦ＝（Ａ＋Ｂ）＋（Ｃ＋Ｄ）」となる。
【０１４９】
ＶＧＡ回路４３２は、上記ＲＦ信号の振幅を一定化させた信号ＲＦ−Ｓｕｂを生成し、この信号を受けた微分回路４３４−１は、該ＲＦ−Ｓｕｂ信号を微分してΔＲＦ−Ｓｕｂ信号を生成し、微分回路４３４−２が該ΔＲＦ−Ｓｕｂ信号を微分してΔΔＲＦ−Ｓｕｂ信号を生成する。
【０１５０】
ＡＮＤ演算器４２２は、上記ΔΔＲＦ−Ｓｕｂ信号とゲート信号Ｇａｔｅとの論理積を取ることで、記録パルスの光出力安定領域に相当する信号ΔΔＲＦ−Ｓｕｂ’を抽出し、スライサ２１０がこのΔΔＲＦ−Ｓｕｂ’信号をゼロレベルでスライスしてＳＬ  ΔΔＲＦ−Ｓｕｂ’信号を生成する。
【０１５１】
図３３は、最適パワー調整の指標となるβ値の検出概念を示す概念図である。同図に示す信号ＲＦ−Ｓｕｂ’は、図４のディテクタ１２２Ｅが出力する再生用後行サブビーム２０Ｅで再生されたＲＦ信号ＲＦ−Ｓｕｂをゲート信号Ｇａｔｅ’で抽出して得られた信号であり、記録パルスの定出力領域で再生された信号になる。
【０１５２】
この信号ＲＦ−Ｓｕｂ’は、ピーク値Ｖｐ１とＶｐ２との間をスイングするＲＦ信号であり、これらのピーク値は、再生対象となるピットまたはランドの長さに応じて変化する。ここで、最適パワー調整の指標となるβ値は、一般にＲＦ信号をＡＣ結合したときのプラス側の振幅とマイナス側の振幅の比率によって求めることができるが、再生用サブビームから得られた信号波形は、記録パルスのＯＮ／ＯＦＦの影響を受けるため、断続的なパルス信号となり、ＡＣ結合による振幅比率を求めることが困難である。
【０１５３】
そこで、本発明では、再生信号のうち記録パルスの定出力領域に対応する部分をゲート信号Ｇａｔｅ’で抽出して得られたＲＦ−Ｓｕｂ’信号の平均値Ｖａｖを求めることによりＤＣ的な基準位置を設定し、この平均値Ｖａｖとピーク値Ｖｐ１およびＶｐ２との差分を求めることで、記録パルスのＯＮ／ＯＦＦの影響を受けた断続的なＲＦ信号からβ値を得ることを可能としている。
【０１５４】
ここで、平均値Ｖａｖとピーク値Ｖｐ１との差分をＡ、平均値Ｖａｖとピーク値Ｖｐ２との差分をＢとすると、β値は下式によって求めることができる。
【０１５５】
β＝（Ａ−Ｂ）／（Ａ＋Ｂ）
これらＶｐ１、Ｖｐ２、Ｖａｖ、Ａ、Ｂおよびβの関係を同図中に示す。
【０１５６】
図３４は、β相当値を検出する回路ブロックの構成例を示したブロック図である。同図に示す回路ブロックは、図１のスライサ２１０内部に設けられ、マスク回路４００から得られたＲＦ−Ｓｕｂ’信号のトップピーク値Ｖｐ１を検出するトップ値検出回路７０３と、ボトムピーク値Ｖｐ２を検出するボトム値検出回路７０５と、ＲＦ−Ｓｕｂ’信号の平均値Ｖａｖを検出する平均化回路７０４と、Ｖｐ１およびＶｐ２とＶａｖとの差分値ＡおよびＢを検出する差分検出回路７０６−１および７０６−２と、これらの差分値ＡおよびＢを用いてβ相当値を検出するβ検出回路７０８とで構成される。このようにして求められたβ相当値を用いて、パワー調整がリアルタイムに行われる。
【０１５７】
図３５は、実際のＲＦ波形から得られたβ値の例を示す実測図である。同図に示すように、β値の検出に用いられるパラメータＶｐ１、Ｖｐ２、Ｖａｖは、いずれも図中「Ｇａｔｅ」で示した定出力領域内で得られた値であり、この例では、Ｖｐ１＝０．７９Ｖ、Ｖｐ２＝０．３６Ｖ、Ｖａｖ＝０．５６Ｖが得られた。よって、Ｖｐ１とＶａｖとの差分Ａは０．２３となり、Ｖｐ２とＶａｖとの差分Ｂは０．２となり、β値は、β＝（Ａ−Ｂ）／（Ａ＋Ｂ）＝０．０３／０．４３より約０．７になる。
【０１５８】
図３６は、パワー補正をリアルタイムに行う概念を示した概念図である。同図に示すように、パワー変化に対するβ値の特性は略線形特性になり、このβ特性のゼロ点が最適パワーＰｏになるため、リアルタイムで検出したβ値がβ１であり、そのときのパワー値がＰ１であったとすると、この線形特性を利用すれば、任意の時点での最適パワー値Ｐ０をリアルタイムで求めることができる。
【０１５９】
尚、上述の例ではＲＦ信号のピーク値と平均値とを用いてβ値を求める例を説明したが、ＲＦ信号に替えてタンジェンシャルプッシュプル信号を用いても良く、また、タンジェンシャルプッシュプル信号の微分値を用いても良い。
【０１６０】
図３７は、前述の平均値を利用して符号判定を行う場合の例を示すブロック図である。同図に示すように、平均化回路７０４で検出されたＶａｖを符号判定回路７２０に入力し、データテーブル７２２の内容と照合することにより、平均値Ｖａｖから符号判定を行うことができる。
【０１６１】
図３８は、図３７に示したデータテーブル７２２の構成例を示す概念図である。同図に示すように、２Ｔ〜１１Ｔまでの各符号ごとに取り得る平均値Ｖａｖの値を設定しておき、平均化回路７０４から入力された値がどの範囲に該当するかを判定することにより、検出されたピットおよび／またはスペースを符号情報に変換することができる。
【０１６２】
図３９は、前述の平均値を利用してピットおよびスペースのずれ量を検出する場合の例を示すブロック図である。同図に示すように、平均化回路７０４から入力された値と、データテーブル７２２に格納された各符号ごとに基準となる値とを比較することにより、形成されたピットおよびスペースのズレ量を検出することもできる。
【産業上の利用可能性】
【０１６３】
本発明によれば、より最適に近い記録条件のリアルタイムな補正が可能になるため、内外周差の記録特性が異なるメディアや高速記録等のより厳しい記録環境への適用が期待される。
【図面の簡単な説明】
【０１６４】
【図１】本発明に係るドライブの内部構成を示すブロック図である。
【図２】図１に示したドライブ内に組み込まれるピックアップ部の構造を示す分解斜視図である。
【図３】光ディスクの盤面上に照射されたスポットの配置を示す平面図である。
【図４】光ディスクの盤面上に照射されるスポットとディテクタとの関係を示す概念図である。
【図５】記録パルスの形状と安定領域との関係を示す概念図である。
【図６】図１に示したパルス生成回路の内部構成を示す回路ブロック図である。
【図７】図６に示したゲート信号の生成概念を示すタイミングチャートである。
【図８】図１に示したＬＤドライバの内部構成を示す回路図である。
【図９】図１に示したマスク回路の内部構成を示す回路ブロック図である。
【図１０】記録パルスとゲートパルスと再生信号との関係を示すタイミングチャートである。
【図１１】図１に示したＣＰＵが実行するフラグ信号の生成手法を示す概念図である。
【図１２】記録用のメインビームと再生用のサブビームとの関係を示すタイミングチャートである。
【図１３】記録パルスと、該記録パルスを遅延させたパルスと、ＲＦ信号との関係を示すタイミングチャートである。
【図１４】長いピットの記録中に短いピットまたはスペースを検出する手法の例を示したブロック図である。
【図１５】図１４に示したカウンタ２５６と図１のパルス生成回路３００との関係を示すブロック図である。
【図１６】図１４に示したバッファ２５０−２がビット列を蓄積する際の例を示す概念図である。
【図１７】１４Ｔピットの記録中に検出対象となる４Ｔスペースのバリエーションを示す概念図である。
【図１８】長いピットの記録中に短いピットまたはスペースを検出する手法の別の例を示したブロック図である。
【図１９】図１８に示した回路ブロックの処理例を示すタイミングチャートである。
【図２０】図１８の回路ブロックにより生成された判定信号の判定基準を示す概念図である。
【図２１】長いピットの記録中に短いピットまたはスペースを検出する手法の別の例を示したブロック図である。
【図２２】図２１に示した回路ブロックの処理例を示すタイミングチャートである。
【図２３】図２１に示したリセットパルス生成回路４２６の処理例を示すタイミングチャートである。
【図２４】図１に示したマスク回路の別の構成例を示す回路ブロック図である。
【図２５】図２４に示した回路の動作を示す第１のタイミングチャートである。
【図２６】図２４に示した回路の動作を示す第２のタイミングチャートである。
【図２７】テスト領域で求めたピットおよびスペースに関するタンジェンシャルプッシュプル信号の微分値と実際の物理長との関係を示すグラフである。
【図２８】記録領域で求めたピットおよびスペースに関するタンジェンシャルプッシュプル信号の微分値と記録領域で求めたピットおよびスペースに関するタンジェンシャルプッシュプル信号の微分値との関係を示すグラフである。
【図２９】テスト領域内のタンジェンシャルプッシュプル信号の微分値を得るために行うテスト記録の一例を示した概念図である。
【図３０】記録領域内のタンジェンシャルプッシュプル信号の微分値を得るために行うテスト記録の一例を示した概念図である。
【図３１】図３０に示したタンジェンシャルプッシュプル信号の差分を用いて記録パルスの補正を行う例を示した概念図である。
【図３２】図１に示したマスク回路の別の構成例を示す回路ブロック図である。
【図３３】図３３は、最適パワー調整の指標となるβ値の検出概念を示す概念図である。
【図３４】β相当値を検出する回路ブロックの構成例を示したブロック図である。
【図３５】実際のＲＦ波形から得られたβ値の例を示す実測図である。
【図３６】パワー補正をリアルタイムに行う概念を示した概念図である。
【図３７】前述の平均値を利用して符号判定を行う場合の例を示すブロック図である。
【図３８】図３７に示したデータテーブル７２２の構成例を示す概念図である。
【図３９】前述の平均値を利用してピットおよびスペースのずれ量を検出する場合の例を示すブロック図である。
【符号の説明】
【０１６５】
１０…記録パルス、１２…トップパルス、１４…後続パルス、１６…後端パルス、２０…レーザ光、２０Ａ…記録用メインビーム、２０Ｂ…トラッキング用先行サブビーム、２０Ｃ…トラッキング用後行サブビーム、２０Ｄ…再生用先行サブビーム、２０Ｅ…再生用後行サブビーム、２２…反射光、５０…高出力領域、５２…低出力領域、５４…定出力領域、１００…ドライブ、１１０…レーザダイオード、１１２…コリメータレンズ、１１４…回折格子、１１５…溝、１１６…ハーフミラー、１１８…対物レンズ、１２０…受光レンズ、１２２…ディテクタ、１２４…ＬＤドライバ、１２６…合成器、２００…テスト領域、２０２…再生特性、２０４…記録条件、２０６…近似曲線、２０８…基準条件、２１０…スライサ、２１２…ＣＰＵ、２１４…メモリ、２１６…ＥＦＭエンコーダ／デコーダ、２１８…インターフェース回路、２５０…バッファ、２５２…変換テーブル、２５４…遅延器、２５６…カウンタ、２５８…１４Ｔデコーダ、２５９…４Ｔデコーダ、３００…パルス生成回路、３１０…パルスユニット生成回路、３１４…反転回路、３１６…ＡＮＤ演算器、４００…マスク回路、４１０…ＡＮＤ演算器、４２０…反転回路、４２２…ＡＮＤ演算器、４２４…カウンタ、４２６…リセットパルス生成回路、４３０…タンジェンシャルプッシュプル信号生成回路、４３２…ＶＧＡ回路、４３４…微分回路、４３６…ＲＦ信号生成回路、５００…光ディスク、５０２…グループ、５０４…ランド、５０６…ピット、５０８…スペース、６００…パーソナルコンピュータ、７０３…トップ値検出回路、７０４…平均化回路、７０５…ボトム値検出回路、７０６…差分検出回路、７０８…β検出回路、７２０…符号判定回路、７２２…データテーブル、７３０…比較回路
【図１】
2006228379.tif 000003
【図２】
2006228379.tif 000004
【図３】
2006228379.tif 000005
【図４】
2006228379.tif 000006
【図５】
2006228379.tif 000007
【図６】
2006228379.tif 000008
【図７】
2006228379.tif 000009
【図８】
2006228379.tif 000010
【図９】
2006228379.tif 000011
【図１０】
2006228379.tif 000012
【図１１】
2006228379.tif 000013
【図１２】
2006228379.tif 000014
【図１３】
2006228379.tif 000015
【図１４】
2006228379.tif 000016
【図１５】
2006228379.tif 000017
【図１６】
2006228379.tif 000018
【図１７】
2006228379.tif 000019
【図１８】
2006228379.tif 000020
【図１９】
2006228379.tif 000021
【図２０】
2006228379.tif 000022
【図２１】
2006228379.tif 000023
【図２２】
2006228379.tif 000024
【図２３】
2006228379.tif 000025
【図２４】
2006228379.tif 000026
【図２５】
2006228379.tif 000027
【図２６】
2006228379.tif 000028
【図２７】
2006228379.tif 000029
【図２８】
2006228379.tif 000030
【図２９】
2006228379.tif 000031
【図３０】
2006228379.tif 000032
【図３１】
2006228379.tif 000033
【図３２】
2006228379.tif 000034
【図３３】
2006228379.tif 000035
【図３４】
2006228379.tif 000036
【図３５】
2006228379.tif 000037
【図３６】
2006228379.tif 000038
【図３７】
2006228379.tif 000039
【図３８】
2006228379.tif 000040
【図３９】
2006228379.tif 000041